(57)【要約】【課題】乗車券等を発券する発券装置において、磁気情報の書き込み／読み取りを行う機構部の、保守員による調整の効率化を図る。【解決手段】磁気情報を読込んだ時のパルス間隔のデータをグラフ化し、磁気媒体の印刷面に対し長手方向いっぱいに図示のように印刷させる。印刷された媒体を磁気書き込み部／読み取り部にあてがうことにより、磁気媒体の搬送速度の変動要因を簡単に割り出すことができる。また、発券装置自身で速度変動要因を分析し、グラフに合わせて印刷することにより保守員／組立て工員に調整ポイントを指示し、経験の足りない保守員／組立て工員に対しても調整ポイントが判るようにしている。【選択図】図１
2010257405.tif 000002
【特許請求の範囲】
【請求項１】
磁気媒体の原紙に磁気情報を書き込むと共に、前記原紙に所定の印刷を行って、乗車券等の発行を行う発券装置において、
該発券装置は、磁気書き込み部と、磁気媒体に書き込まれた磁気情報を読込む磁気読み取り部と、読み取った磁気情報を解析する制御部と、磁気媒体の印刷面に印刷を行う印刷部とを備えて構成され、前記磁気媒体に磁気情報を書き込んだ後に、磁気情報の読み取りを行い、
前記制御部は、読み取った磁気情報のアナログ信号のピーク間隔であるパルス間隔を読み取りの経過時間に沿って並べたグラフを生成して、前記磁気媒体の印刷面に印刷部により印刷させることを特徴とする発券装置。
【請求項２】
前記制御部は、前記生成したグラフから前記磁気媒体の搬送速度変動及び変動要因を推測し、前記磁気媒体の印刷面に前記搬送速度変動に対する推測した変動要因を前記印刷部により印刷させることを特徴とする請求項１記載の発券装置。
【請求項３】
磁気媒体の原紙に磁気情報を書き込むと共に、前記原紙に所定の印刷を行って、乗車券等の発行を行う発券装置において、
該発券装置は、予め磁気情報を記録した磁気媒体を取り込む挿入部と、磁気書き込み部と、磁気媒体に書き込まれた磁気情報を読込む磁気読み取り部と、読み取った磁気情報を解析する制御部と、磁気媒体の印刷面に印刷を行う印刷部とを備えて構成され、
前記磁気読み取り部は、前記挿入部から取り込まれた磁気媒体に正確に記録された磁気情報を読み取り、
前記制御部は、読み取った結果を解析して前記磁気読み取り部での磁気媒体の搬送速度変動の情報を計算すると共に、発券装置自身の前記磁気書き込み部が、前記磁気媒体に磁気情報を書き込んだ後に、前記磁気読み取り部で磁気情報の読み取りを行った場合の前記磁気書き込み部での磁気媒体の搬送速度変動と、前記磁気読み取り部での磁気媒体の搬送速度変動とが混合された状態の速度速度変動の情報を計算し、
前記計算した２つの速度速度変動の情報の差分をとり、前記磁気読み取り部と前記磁気書き込み部との速度変動を分離し、別々に変動要因を推測し、前記磁気媒体の印刷面に、搬送速度変動のグラフ及び推定要因を前記印刷部により印刷させることを特徴とする発券装置。
【発明の詳細な説明】
【技術分野】
【０００１】
本発明は、発券装置に係り、特に、磁気書き込み部／読み取り部への媒体の搬送速度変動の要因を解析する機能を備えた乗車券等を発行する発券装置に関する。
【背景技術】
【０００２】
鉄道旅客の乗車券等のうち、磁気化券は、記録すべき情報の増加に伴い高密度な磁気情報の記録が行われている。磁気情報を乗車券等の磁気媒体に高精度に書き込み／読み取りを行うためには、磁気書き込み／読み取りを行う磁気ヘッドと磁気媒体との密着性を高めて、磁気媒体への記録や、記録された情報の読み取り性能を上げる必要がある。また、読み取ったアナログ波形をデジタルデータに変換する際には、基準となる一定時間内の信号（アナログ波形のピーク）の有無によりデジタルデータを生成するため、磁気書き込み／読み取り部における磁気媒体の搬送に速度変動が生じると、アナログ波形のピーク間の時間が狂ってしまい、正しいデジタルデータの生成を行うことができなくなってしまう。このようなことを防止するため、磁気書き込み／読み取り部における磁気媒体の搬送速度の変動を極力小さくする必要がある。
【０００３】
磁気媒体の搬送速度の変動を小さくするため、従来の発券装置は、磁気ヘッドとこれに対向するプラテンローラとの隙間に対して、厳しい調整を行ったり、磁気媒体がこの隙間に突入する衝撃を吸収する機構を設けたりして、磁気媒体と磁気ヘッドとの密着性を高めつつ、搬送速度の変動が極力小さくなるように配慮されている。
【０００４】
また、従来の発券装置は、磁気ヘッド近傍の搬送ローラが、磁気媒体を確実に挟持し搬送ローラの搬送力を確実に磁気媒体に伝える一方、搬送ローラに媒体が突入したり、抜け出たりする際の衝撃が、磁気記録精度に影響しないようにも配慮されている。
【０００５】
さらに、従来の発券装置は、磁気ヘッド周辺の搬送ガイド等の構造物も、磁気媒体の姿勢の制御を行いつつ、媒体の搬送速度変動が発生しないように考慮されており、このほかにも、搬送モータ、ベルトやギア等の駆動系においても、媒体に速度変動を発生させないように考慮されている。
【０００６】
しかし、従来の発券装置は、生産時の部品の公差、組付け公差、装置を使用していく上での経年変化等により調整の狂いが生じるため、生産時及び定期点検時に調整及び性能の確認が必要となる。
【０００７】
これに対し、磁気媒体から磁気情報を読み取る際に読み取ったアナログ波形から複数個のピーク値の最大値、最小値等から読み取り状態、書き込み状態を判定し保守作業に役立たせる方法が、例えば、特許文献１等に記載されて提案されている。また、運賃改定時等に、発券装置の印刷機構を利用し、データ内容を印刷することにより、データの確認を簡単に行うことができる方法が、例えば、特許文献２等に記載されて提案されている。
【先行技術文献】
【特許文献】
【０００８】
【特許文献１】特開平８−２３５５１２号公報
【特許文献２】特開平１０−１４９４５８号公報
【発明の概要】
【発明が解決しようとする課題】
【０００９】
乗車券等を発行する発券装置において、磁気書き込み部／読み取り部における状態のうち媒体の搬送速度の変動については、発券装置が、磁気媒体に磁気書き込み／読み取りを行い、読み取ったアナログ波形の１つ１つのピーク間の時間間隔（以下、パルス間隔という）を並べてグラフ化することにより、磁気書き込み／読み取り時の磁気媒体の速度変動を目視化することができる。また、予め正確な搬送速度で磁気情報を記録した磁気媒体を準備し、この磁気媒体を発券装置の読み取り部に読み取らせることにより、読み取り部のみにおける磁気媒体の速度変動を目視化することができ、書き込み部／読み取り部の速度変動を分離して調べることができる。
【００１０】
前述したような磁気媒体の速度変動をグラフにして目視化することにより、どの位置で磁気媒体を搬送しているときに媒体の速度に変動が生じているかを、グラフ形状より経験的に判断することができる。
【００１１】
しかし、前述したようなグラフ化には専用の冶具が必要である。発券装置の生産工程のある現場では、専用冶具によりグラフ化を行い、媒体の搬送速度の変動を確認することができるが、納品された券売機を使用する設置個所での保守点検時には、専用の冶具を使用することが困難であり、一般的な調整基準に照らし合わせて部品の取付け位置を確認・調整することができるのみである。そして、調整基準どおりに調整しても磁気情報の書き込み／読み取りの性能を回復することができない場合、部品交換、装置交換により対応することとなっている。また、生産工程においても、専用の冶具を用いてグラフ化を行うことができるものの、作業者の経験によってグラフから不具合箇所を読み取り、不具合箇所を特定しているため、作業者の経験／知識が足りない場合、調整を行うことが困難となっている。
【００１２】
一方、特許文献１に記載の従来技術は、ＦＭ方式の磁気書き込み部／読み取り部の保守作業に役立たせる方法として、磁気媒体から磁気情報を読み取る際に読み取ったアナログ信号波形から複数個のピーク値の最大値、最小値等から読み取り状態、書き込み状態を判定するという方法が提案されているが、この従来技術による方法は、より高密度なＭＦＭ方式を用いて磁気情報の書き込み／読み取りを行おうとすると、搬送速度の変動による影響がより大きくなるため、十分な方法とは言えないものである。
【００１３】
また、特許文献２には、発券装置の印刷機構を用いてデータを印刷する方法が提案されている。この引用文献２に記載の従来技術は、特許文献１に記載の方法と併せて読み取りレベルから判定した情報を磁気媒体の印刷面に印刷すれば、専用の冶具を必要としない方法を得ることができるが、搬送速度の変動を小さくするような調整のために利用するには十分とはいうことのできないものである。
【００１４】
さらに、生産工程で用いている専用冶具のグラフ化の機能を発券装置に組み込んで、発券装置の印刷機能を用いて磁気媒体に印刷することも考えられる。この場合、搬送速度の変動の要因を特定する一助にはなるものの、単にグラフを印刷しただけでは、経験により装置の状態を読み取る必要があり、保守性をより向上させるには不十分である。
【００１５】
本発明の目的は、前述したような点に鑑み、発券装置の印刷機能を利用して、磁気媒体の速度変動のグラフを印刷させ、保守等で発券装置の磁気書き込み部／読み取り部の調整に役立てることを可能とした発券装置を提供することにある。
【課題を解決するための手段】
【００１６】
本発明によれば前記目的は、磁気媒体の原紙に磁気情報を書き込むと共に、前記原紙に所定の印刷を行って、乗車券等の発行を行う発券装置において、該発券装置は、磁気書き込み部と、磁気媒体に書き込まれた磁気情報を読込む磁気読み取り部と、読み取った磁気情報を解析する制御部と、磁気媒体の印刷面に印刷を行う印刷部とを備えて構成され、前記磁気媒体に磁気情報を書き込んだ後に、磁気情報の読み取りを行い、前記制御部は、読み取った磁気情報のアナログ信号のピーク間隔であるパルス間隔を読み取りの経過時間に沿って並べたグラフを生成して、前記磁気媒体の印刷面に前記印刷部により印刷させることにより達成される。
【００１７】
また、前記目的は、磁気媒体の原紙に磁気情報を書き込むと共に、前記原紙に所定の印刷を行って、乗車券等の発行を行う発券装置において、該発券装置は、予め磁気情報を記録した磁気媒体を取り込む挿入部と、磁気書き込み部と、磁気媒体に書き込まれた磁気情報を読込む磁気読み取り部と、読み取った磁気情報を解析する制御部と、磁気媒体の印刷面に印刷を行う印刷部とを備えて構成され、前記磁気読み取り部は、前記挿入部から取り込まれた磁気媒体に正確に記録された磁気情報を読み取り、前記制御部は、読み取った結果を解析して前記磁気読み取り部での磁気媒体の搬送速度変動の情報を計算すると共に、発券装置自身の前記磁気書き込み部が、前記磁気媒体に磁気情報を書き込んだ後に、前記磁気読み取り部で磁気情報の読み取りを行った場合の前記磁気書き込み部での磁気媒体の搬送速度変動と、前記磁気読み取り部での磁気媒体の搬送速度変動とが混合された状態の速度速度変動の情報を計算し、前記計算した２つの速度速度変動の情報の差分をとり、前記磁気読み取り部と前記磁気書き込み部との速度変動を分離し、別々に変動要因を推測し、前記磁気媒体の印刷面に、搬送速度変動のグラフ及び推定要因を前記印刷部により印刷させることにより達成される。
【発明の効果】
【００１８】
本発明によれば、発券装置自身が、磁気書き込み／読み取り時の磁気媒体の速度変動を目視化することができ、これにより、専用の冶具を用いることなく、保守員や組立て工員が、磁気書き込み／読み取り部の媒体搬送の速度変動に関る調整に役立てることができる。
【図面の簡単な説明】
【００１９】
【図１】本発明の実施形態による発券装置が印刷したパルス間隔のグラフの例を示す図である。
【図２】本発明の一実施形態による発券装置の構成を示すブロック図である。
【図３】磁気書き込み部と磁気読み取り部との構造を概略的に示した磁気書き込み／読み取り部の構成図である。
【図４】磁気情報の記録方式の１つであるＭＦＭ方式を用い、理想状態で磁気書き込み／読み取りを行った場合の、縦軸にパルス間隔、横軸に経過時間をとって読み取った磁気情報のパルス間隔を並べたグラフを示す図である。
【図５】磁気情報の記録方式の１つであるＭＦＭ方式を用い、通常の状態で磁気書き込み／読み取りを行った場合の、縦軸にパルス間隔、横軸に経過時間をとって読み取った磁気情報のパルス間隔を並べたグラフを示す図である。
【図６】本発明の実施形態による発券装置の印刷機能を用いてパルス間隔のグラフの印刷を行う際の発券装置での処理動作を説明するフローチャートである。
【図７】グラフが印刷された磁気媒体を、実際の磁気書き込み部、読み取り部にあてがった状態を示す図である。
【発明を実施するための形態】
【００２０】
以下、本発明による発券装置の実施形態を図面により詳細に説明する。以下に説明する本発明の実施形態は、鉄道旅客システム等で、乗車券等を発券する発券装置に関する実施形態である。
【００２１】
なお、以下の本発明の実施形態の説明は、磁気媒体の搬送速度変動の要因を解析する動作について行い、実際に乗車券を発券する動作についての説明を省略している。
【００２２】
図２は本発明の一実施形態による発券装置の構成を示すブロック図であり、まず、この図２を参照して、発券装置の概略の構成と動作とを説明する。
【００２３】
発券装置１は、磁気媒体１０を持つ乗車券等の原券が収納されているホッパ部２と、ホッパ部２から原券を１枚ずつ分離・繰り出しを行う繰り出し部３と、磁気情報の書き込みを行う磁気書き込み部４と、書き込まれた磁気情報を読み取る磁気読み取り部５と、磁気媒体の印刷面に券面の印刷を行う印刷部６と、磁気媒体の排出を行う排出部７と、磁気媒体を装置内に取り込む挿入部８と、前述した各機構を制御する制御部９とから構成されている。
【００２４】
前述において、発券装置１に指示を出す図示しない上位装置からの発券指示や、保守員等の操作による保守モードでの発券指示が出されると、ホッパ部２に収納されている磁気媒体１０が繰り出し部３の分離・繰り出し機構により発券装置の搬送路内に繰り出される。繰り出された磁気媒体１０は、磁気書き込み部４に搬送され指定の磁気情報が書き込まれる。次に、磁気媒体１０は、そのまま続けて磁気読み取り部５に搬送され、書き込まれた磁気情報が読み取られ、指定の磁気情報通りに磁気媒体に情報が書き込まれているかが照合されると共に、磁気書き込みの精度が良好か否かが判断される。正常に磁気情報が書き込まれていれば、磁気媒体１０は印刷部６に搬送されて、印刷情報を元に磁気媒体の印刷面に情報が印刷される。その後、磁気媒体１０は、排出部７に排出され、係員や保守員が磁気媒体１０を受け取ることになる。
【００２５】
また、発券された乗車券等の控除（返却）を行う場合、媒体挿入部８に磁気媒体１０が挿入される。媒体挿入部８に磁気媒体１０が挿入されると、磁気媒体１０は、装置内部に取り込まれ、磁気読み取り部５に搬送されて、磁気媒体１０に書き込まれている磁気情報が読み取られる。読み取られた情報は、上位の装置に送信され、実際に控除を行うことが決定されると、磁気書き込み部４は、磁気情報の消去を行った後、磁気媒体１０を印刷部６に搬送して、廃券印刷を行わせた後、排出部７に排出させる。
【００２６】
図２に示して説明した本発明の実施形態による発券装置１は、乗車券等として利用する磁気媒体１０をカット紙としてホッパ部２に収納している構成を例としているが、本発明は、乗車券等として利用する磁気媒体をロール状のものを収納し、発券時にカットして使用するような形態のものにも適用することができる。
【００２７】
図３は磁気書き込み部４と磁気読み取り部５との構造を概略的に示した磁気書き込み／読み取り部の構成図である。
【００２８】
図３に示すように、磁気書き込み／読み取り部は、駆動用のモータ１６と、該モータ１６によりベルトを介して駆動されるプラテンローラ１３ａ、１３ｂと、該プラテンローラ１３ａ、１３ｂからベルトを介して駆動される搬送ローラ１４ａ〜１４ｆと、磁気媒体１０の搬送時のガイドを行う搬送ガイド１５ａ〜１５ｄと、プラテンローラ１３ａに対向している書き込みヘッド１１と、プラテンローラ１３ｂに対向している読み取りヘッド１２とにより構成されている。
【００２９】
前述において、磁気媒体１０への磁気情報の書き込みは、一定の間隔に調整された磁気書き込みヘッド１１とプラテンローラ１３ａとの間に磁気媒体１０を搬送し、磁気書き込みヘッド１１により行われる。同様に、磁気媒体１０からの磁気情報の読み取りは、一定の間隔に調整された磁気読み取りヘッド１２とプラテンローラ１３ｂとの間で磁気媒体を搬送し、磁気読み取りヘッド１２により行われる。磁気書き込み部／読み取り部での磁気媒体１０の搬送は、プラテンローラ１３ａ、１３ｂや搬送ローラ１４ａ〜１４ｆを搬送モータ１６により駆動することにより行われ、また、磁気媒体１０は、搬送ガイド１５ａ〜１５ｄにより姿勢が制御されてジャム等が防止される。
【００３０】
図４は磁気情報の記録方式の１つであるＭＦＭ方式を用い、理想状態で書き込み／読み取りを行った場合において、縦軸にパルス間隔、横軸に経過時間をとって読み取った磁気情報のパルス間隔を並べたグラフを示す図である。
【００３１】
ＭＦＭ方式による磁気情報の記録は、記録された情報を読み取ったときのアナログ信号のピーク間隔（以下、パルス間隔という）が、基準パルス間隔を時間ｔとしたとき、読み取った信号のパルス間隔が、ｔ、１．５ｔ、２ｔの３種類となるように行われ、これらの３種のパルス間隔の並び方の組み合わせにより情報の内容を表現するものである。
【００３２】
図４に示す例は、理想的な状態に磁気書き込み／読み取り部を調整して、テストデータの書き込み／読み取りが行われた場合の分散グラフの例を示している。前述で説明したように、ＭＦＭ方式で磁気書き込み／読み取りを行った場合、読み取ったデータは、図４に示しているように、基準となるパルス間隔ｔのデータ２１ａと、基準パルス間隔ｔの１．５倍のパルス間隔のデータ２２ａと、基準パルス間隔ｔの２倍のパルス間隔のデータ２３ａとにより構成される。このため、一般的にＭＦＭ方式のデータを、縦軸に読み取ったパルス間隔、横軸にそのパルスを読込んだタイミング（経過時間であり、それまでのパルス間隔の累積時間である）で表すと図４に示すように描画された点により３本の横線が描かれたようなグラフとなる。なお、図４の基準となるパルス間隔ｔのデータ２１ａの時間軸方向の両端に示している太線は、ヌルビットを示している。
【００３３】
図５は磁気情報の記録方式の１つであるＭＦＭ方式を用い、通常の状態で書き込み／読み取りを行った場合において、縦軸にパルス間隔、横軸に経過時間をとって読み取った磁気情報のパルス間隔を並べたグラフを示す図である。
【００３４】
図４に示して説明した例は、理想状態で磁気の書き込み／読み取りが行われた場合の例であるが、実際には、磁気書き込み／読み取り部において、磁気媒体に速度変動が発生するため、磁気情報を書き込む際に磁気媒体の搬送速度が遅くなると、磁気媒体の一定時間に進む距離が短くなるため、磁気媒体上に記録されるパルス間の距離が短くなる。このような磁気媒体上の記録データを読み取ると、記録されているパルス間の距離が短いため、パルス間隔が短くなり、グラフ上に描画する点が下側にずれることになる。逆に、磁気情報を読込む際に、磁気媒体の速度変動により媒体の搬送速度が遅くなると、正確な間隔で書き込まれた情報であっても、情報を読込む時間が掛かるため、パルス間隔が長くなり、グラフ上に描画される点が上側にずれることとなる。
【００３５】
前述したような磁気媒体の速度変動の積み重ねにより、実際の読み取り時のパルス間隔をグラフにすると、図５に示すグラフのように線が乱れた状態になり、各パルス間隔のデータは、基準となるパルス間隔ｔのデータ２１ｂと、基準パルス間隔ｔの１．５倍のパルス間隔のデータ２２ｂと、基準パルス間隔ｔの２倍のパルス間隔のデータ２３ｂとに示すようなものとなる。
【００３６】
図１は本発明の実施形態による発券装置が印刷したパルス間隔のグラフの例を示す図である。この図１に示すグラフは、図５に示している基準パルス間隔ｔの１．５倍のパルス間隔のデータ２２ｂのパルス間隔を１．５で割った値、及び、基準パルス間隔ｔの２倍のパルス間隔のデータ２３ｂのパルス間隔を２で割った値を、基準となるパルス間隔ｔのデータ２１ｂに重ねて印刷したものであり、次に、図１に示すようなグラフの印刷を行う方法について説明する。
【００３７】
一般に、発券装置は、磁気書き込み／読み取りの精度を高めるため、磁気ヘッドとプラテンローラとの隙間の調整を主に周囲の搬送路ローラ、搬送ガイドの調整を行うこととなる。これらの調整により、大半は発券装置が目指す磁気書き込み／読み取りの精度を満たすこととなるが、中には装置の調整値どおりに調整しても精度が足りず、磁気情報を読み取る際に誤読を起こす場合もある。また、一旦磁気書き込み／読み取りの精度を達成していても、状態が不安定で使用中の調整の狂いで精度が足りなくなる場合もある。前述のような事例に対してパルス間隔のグラフを利用することにより、磁気媒体に速度変動を生じさせずに安定しているか、速度変動がある場合はどのような変動になっているかを知ることができる。
【００３８】
図６は本発明の実施形態による発券装置の印刷機能を用いてパルス間隔のグラフの印刷を行う際の発券装置での処理動作を説明するフローチャートであり、次に、これについて説明する。
【００３９】
（１）保守員等の操作により、発券装置１を保守モードとして、発券指示の操作を行うと、発券装置１は、ホッパ部２に収納されている長さＡ（ｍｍ）の磁気媒体１０を繰り出し部３により繰り出す（ステップ３０）。
【００４０】
（２）繰り出された磁気媒体１０は、磁気書き込み部４に送られて搬送速度Ｖ（ｍｍ／ｓ）で保守用の磁気情報が書き込まれ、その後、磁気読み取り部５に送られて同じく搬送速度Ｖ（ｍｍ／ｓ）で磁気情報が読み出される。ここで、搬送速度Ｖは、実際の運用で磁気媒体を搬送している速度である。このとき、磁気情報全体を読込む時間はＡ／Ｖ（ｓ）かかることとなる（ステップ３１）。
【００４１】
（３）印刷部６は、磁気媒体１０の長さ方向全体を使ってパルス間隔のグラフを印刷することを目指すため、制御部９によりグラフ情報の編集を行う。印刷部６での印刷密度をＤ（ドット／ｍｍ）とすると、グラフの横軸に対しては磁気媒体の長さ方向全体ではＡ・Ｄ（ドット）の印刷領域があることになる。磁気媒体の長さ全体＝Ａ・Ｄ（ｓ）に対して磁気情報全体の読込み時間＝Ａ／Ｖ（ｓ）を印刷するため、１ドット当りでは（Ａ／Ｖ）／（Ａ・Ｄ）＝１／ＶＤに当る時間を印刷すればよい。すなわち、あるパルスのパルス時間を描画する際の横軸方向の位置は、当パルスを読込んだ時の経過時間をＳとするとＳ／（１／ＶＤ）＝ＳＶＤとなり、磁気媒体の長手方向にＳＶＤ（小数点以下切り上げ）番目のドット（ライン）に印刷することになる。具体的には、印刷するのが何番目のパルスかを示す変数ｎを１に初期化した後、グラフ全体を券面の長手方向いっぱいに印刷する縮尺で、変数ｎで示されるｎ番目のパルスの横方向の位置を計算する（ステップ３１１、３２）。
【００４２】
（４）次に、１．５倍、２倍のパルス間隔のデータを基準間隔データへ重ね合わせる処理を行う。本発明の実施形態では、縦軸に対しては、対象とするシステムの基準パルス間隔がＰであるとし、磁気媒体の幅Ｗの中央にグラフの中心を描くとすると（Ｗ・Ｄ）／２のドットを中心として、読み取ったデータの大小に比例させてドットをずらして印刷することとなる。また、本発明の実施形態では、基準パルス間隔の１２５％以下のパルス間隔は基準パルス間隔のデータとして扱い、基準パルス間隔の１２５％を超える長さのパルス間隔は１．５倍のパルス間隔のデータとして扱い、また、基準パルスの間隔の１７５％を超える長さのパルス間隔は２倍のパルス間隔のデータとして扱うものとする。そして、１．５倍のパルス間隔のデータは、読み取ったパルス間隔÷１．５を計算し、２倍のパルス間隔のデータは、読み取ったパルス間隔÷２を計算することにより、基準パルス間隔のデータに換算する（ステップ３３）。
【００４３】
（５）ステップ３３での換算により、基本的に読み取りデータは、０．７５×Ｐ〜１．２５×Ｐの値となり、０．５×Ｐの領域で増減するデータとなる。磁気媒体の幅方向Ｗいっぱいに印刷するとすると、１ドットあたり（０．５Ｐ）／（Ｗ・Ｄ）に当たる時間を表現すれものとして、印刷するドットをずらせばよい。具体的には、変数で示されるｎ番目に読み取って換算したパルス間隔がＰｎ（ｓ）であったとすると、縦軸方向には、
｛（ＷＤ／２）＋Ｂ・（Ｐｎ−Ｐ）／（０．５Ｐ／ＷＤ）｝（小数点以下四捨五入）
の式で示される位置のドット（ライン）に印刷することとなる。この式において、Ｂは縮尺であり、磁気媒体の幅方向いっぱいに印刷する場合、Ｂ＝１とし、後述する文言を同時に印刷する場合、０＜Ｂ＜１として計算することによりスペースを確保して印刷することとなる（ステップ３４）。
【００４４】
（６）次に、変数ｎに１を加え、その結果の変数の値が最後のパルスデータを示す値と一致するか否かを判定することにより、磁気媒体の１つの磁気トラックに対し、データの最初から最後まで処理を終了しているか否かを判定し、処理すべきデータが残っていた場合、ステップ３２からの処理の戻って処理を続ける（ステップ３４１、３５）。
【００４５】
（７）ステップ３５の判定で、全てのデータに対する処理が終了していた場合、縦軸、横軸等のグラフとしての体裁を整えた後に印刷データ化し、印刷部６により磁気媒体１０にグラフを印刷して、排出部７から磁気媒体を排出する（ステップ３７、３８）。
【００４６】
（８）実際には、磁気媒体１０の長さと、その磁気媒体１０に印刷することができる印刷領域の長さとには差があり、先端と後端とのギリギリまで印刷することはできないため、ステップ３７の処理の前に、データの最初と最後とを印刷領域に合わせてカットする。本発明の実施形態では、印刷領域に合わせて縮尺を変化させることはせず、媒体の長さ方向に関してはあくまで媒体全体にわたって印刷を行う縮尺として、印刷領域を超えた分をカットして印刷しないものとする（ステップ３６）。
【００４７】
図６に示して前述で説明した処理を行うことにより、図１に示しているような磁気媒体にパルス間隔のグラフを印刷したものを得ることができる。図１に示す例では、磁気情報の書き込み／読み取りを行った磁気媒体４０の印刷領域４１内の４２として示す領域にパルス間隔のデータがグラフ化して印刷されている。
【００４８】
前述した本発明の実施形態は、保守用の磁気情報を書き込んだ後に読み出しを行ってパルス間隔のデータをグラフ化して印刷するとして説明したが、保守用の磁気情報としては、基準となるパルス間隔ｔのデータと、基準パルス間隔ｔの１．５倍のパルス間隔のデータと、基準パルス間隔ｔの２倍のパルス間隔のデータとを含んで構成されたものであっても、特定のパルス間隔だけを含んで構成されたものであってもよく、さらに、実際に使用されているデータを流用してもよい。
【００４９】
図７は図１に示すようにグラフが印刷された磁気媒体４０を、実際の磁気書き込み部４、読み取り部５にあてがった状態を示す図であり、以下に、図７を参照して、印刷されたグラフの利用方法について説明する。
【００５０】
保守員は、局所的に速度変動があるかないかを、印刷されたパルス間隔のグラフをみて判断することができる。すなわち、保守員は、図１に示すグラフにおいて、グラフが２本の精度の参考線４４の間から大きく外れたデータが、例えば、図１に丸で囲んだ１、２に示すように存在していた場合、その部分に局所的な速度変動があると判断する。
【００５１】
そして、このような局所的に速度変動がある場合、このグラフの横軸の値が０の方向を装置の排出部側への搬送方向に向け、かつ、グラフが局所的に変動している部分を磁気ヘッド１２または磁気ヘッド１１の中心に合わせて、図７に示しているように実際の発券装置にあてがってみる。グラフが局所的に変動している場所は、速度変動が発生している場所であるため、速度変動が発生しているときに磁気媒体の先端及び後端がどの位置にあるかを知ることができる。磁気媒体の速度変動は、主に磁気媒体が磁気ヘッドへの突入した時、磁気媒体の先端が搬送ローラへ突入した時及び後端が搬送ローラから外れたとき、磁気媒体の先端が搬送ガイドに当ったときに生ずる。
【００５２】
このため、図７に示しているように、グラフを実際の発券装置にあてがってみると、速度変動が生じているときに磁気媒体の先端及び後端が発券装置のどの位置にあるかを知ることができる。保守員は、これにより、発券装置のどの部品が影響して速度変動が発生しているかを知ることができ、装置の調整作業の効率化を図ることができる。この場合、磁気ヘッドとしては、磁気書き込みヘッド１１と磁気読み取りヘッド１２とがあるため、両ヘッドのそれぞれに対して判断を行うこととなる。
【００５３】
本発明の実施形態は、さらに、予め発券装置の搬送ローラ、搬送ガイドの位置を記憶しておき、基準パルス間隔から一定の割合以上の差があるデータを制御部９により割り出し、その位置がどの搬送ローラ、搬送ガイドに当るかを判断して、この情報をパルス間隔のグラフに合わせて、所定の領域４３に「搬送ガイド３の調整を実施してください。」等の印刷を行うようにすることにより保守員等が速度変動の要因を絞り込むための手助けをすることが可能となる。
【００５４】
また、本発明の実施形態は、前述した局所的な速度変動の他に、磁気ヘッドへの突入による速度変動は、データの先頭にのみ速度変動が現れるため、これを元に磁気ヘッドとプラテンローラのギャップ調整を促す文言を印刷するようにすることもできる。さらに、本発明の実施形態は、速度変動が局所的ではなく、全体にわたって発生している場合、磁気媒体の先端や後端と発券装置内の部品が原因で速度変動が発生しているのではなく、磁気媒体全体にわたって搬送負荷を発生させる状態となっていると判断する、例えば、搬送ガイド１５ｃと搬送ガイド１５ｄの隙間が媒体の厚さより狭くなっている等が原因であると判断することできるため、これらの原因を磁気媒体４０の原因／ポイント等を印刷する所定の領域４３に印刷するようにすることができる。
【００５５】
さらに、本発明の実施形態は、パルス間隔のグラフに目指す精度に当る位置に参考線４４を入れることにより、調整された装置のマージンを知ることができ、経時変化による調整の狂いから発生する障害を未然に防ぐことが可能となる。
【００５６】
また、本発明の実施形態は、印刷部６インクリボンを使用しない直接サーマル印刷（磁気媒体が感熱紙）で、赤黒等の２色同時発色が可能な発券装置の場合、黒印刷と赤印刷との印刷位置ズレが発生しないため、グラフの横軸、縦軸等を赤色で、データのドットを黒色で印刷するようにして、ーしより分かり易い印刷を行うことが可能である。
【００５７】
前述した本発明の実施形態は、磁気の書き込みと読み取りとを連続して行う場合について説明したが、本発明は、予め正確な間隔で磁気情報を書き込んだ磁気媒体を読み取らせることにより、磁気読み取り部のみの調整状態を把握し、調整作業に役立てることが可能となる。また、連続して磁気情報を読み書きする場合と、読み取りのみを行わせる場合の速度変動の差分から、磁気書き込み部の調整作業に役立つ情報を印刷することも可能である。
【００５８】
さらに、前述した本発明の実施形態は、発券装置の運用中に発生した磁気書き込み部、読み取り部のリトライや障害の発生情報を統計処理することにより、磁気書き込み部、読み取り部の調整作業の緊急度の高低を判断し、印刷に付加することも可能であり、また、同時に発券装置全体の障害情報から、特定部位の障害発生の頻度から、当該部位の保守作業を促す印刷を行うことも可能である。
【００５９】
前述で説明したように、本発明の実施形態によれば、磁気情報の書き込み／読み取りを行う乗車券等の発券装置において、保守モードによる発券動作で磁気媒体の原券に対する磁気情報の書き込み／読み取り性能を、読み取ったアナログ波形からパルス間隔を並べてグラフ化したものを、発券装置の印刷機能を用いて磁気媒体の印刷面に印刷することにより、磁気書き込み／読み取り時の磁気媒体の速度変動を目視化することができる。これにより、専用の冶具を用いることなく、保守員や組立て工員が、磁気書き込み／読み取り部の媒体搬送の速度変動に関る調整に役立てることができる。
【００６０】
さらに、本発明の実施形態によれば、発券装置自身が、速度変動の情報から、磁気書き込み／読み取り部の速度変動を起こす要因の分析を行い、結果を前述のグラフに併せて印刷することができ、これより、保守員や組立て工員が要因分析のための特別な知識を持たなくとも、速度変動の要因を特定し磁気書き込み／読み取り部の媒体搬送の速度変動に関る調整に役立てることができる。
【００６１】
また、本発明の実施形態によれば、磁気媒体に発券装置が磁気情報を書き込む代わりに、予め正確な間隔で磁気情報が書き込まれた磁気媒体を準備し、発券装置による磁気情報の書き込みを行わずに磁気情報の読み取りだけを行った後、別の磁気媒体の印刷面にグラフと速度変動要因を印刷することにより、磁気読み取り部の速度変動の要因を示すことができ、磁気読み取り部の調整に役立てることができる。これにより書き込み、読み取りを行った場合の速度変動の要因の分析の複雑化を回避することができる。
【００６２】
さらに、本発明の実施形態によれば、磁気情報の書き込みと読み取りとの両方を実施した場合の速度変動結果と、予め正確な間隔で磁気情報が書き込まれた磁気媒体の読み取りを行った場合の速度変動情報の差分を取ることにより、磁気書き込み時の速度変動とこれを元にした速度変動の要因を判断することが可能となり、この情報を磁気媒体の印刷面に印刷することにより、磁気書き込み部のみの速度変動の要因を示すことができ、磁気書き込み部の調整に役立てることができる。
【００６３】
さらに、また、本発明の実施形態によれば、発券装置の実運用中の障害情報を記憶して統計処理を行い、発生頻度の高い障害内容を前述の印刷に付加して印刷することにより、発券装置の総合的な保守作業の効率化を図ることも可能となる。
【符号の説明】
【００６４】
１  発券装置
２  ホッパ部
３  繰り出し部
４  磁気書き込み部
５  磁気読み取り部
６  印刷部
７  排出部
８  挿入部
９  制御部
１０  磁気媒体
１１  磁気書き込みヘッド
１２  磁気読み取りヘッド
１３ａ、１３ｂ  プラテンローラ
１４ａ〜１４ｆ  搬送ローラ
１５ａ〜１５ｄ  搬送ガイド
１６  駆動用モータ
【図１】
2010257405.tif 000003
【図２】
2010257405.tif 000004
【図３】
2010257405.tif 000005
【図４】
2010257405.tif 000006
【図５】
2010257405.tif 000007
【図６】
2010257405.tif 000008
【図７】
2010257405.tif 000009